(57)【特許請求の範囲】
【請求項１】
電力線搬送信号が流れる電力線が貫通するための中空部を有する開閉可能なトロイダル形のフェライトコアと、該フェライトコアに巻回され、上記電力線に流れる電力線搬送信号が上記フェライトコアの中空部を通過するときに発生する磁界により電流が発生する第一の導線と、上記フェライトコアに巻回され、上記電力線に流れる電力線搬送信号が上記フェライトコアの中空部を通過するときに発生する磁界により電流が発生する第二の導線と、上記第一の導線に発生する電流と上記第二の導線に発生する電流とが互いに打ち消されるように、上記第一の導線と上記第二の導線を直列に接続する配線とを備えていることを特徴とする電力線搬送信号処理装置。
【請求項２】
電力線搬送信号が流れる電力線が貫通するための中空部を有する開閉可能なトロイダル形の第一のフェライトコアと、該第一のフェライトコアに巻回され、上記電力線に流れる電力線搬送信号が上記第一のフェライトコアの中空部を通過するときに発生する磁界により電流が発生する第一の導線と、上記電力線搬送信号が流れる電力線が貫通するための中空部を有する開閉可能なトロイダル形の第二のフェライトコアと、該第二のフェライトコアに巻回され、上記電力線を流れる電力線搬送信号が上記第二のフェライトコアの中空部を通過するときに発生する磁界により電流が発生する第二の導線と、上記第一の導線に発生する電流と上記第二の導線に発生する電流とが互いに打ち消されるように、上記第一の導線と上記第二の導線を直列に接続する配線とを備えていることを特徴とする電力線搬送信号処理装置。
【請求項３】
上記配線にコンデンサを挿入し、特定周波数帯域の電力線搬送信号を抑制することを特徴とする請求項１または２に記載の電力線搬送信号処理装置。
【請求項４】
上記配線にコンデンサとコイルからなるＬＣ並列共振回路を挿入し、特定周波数帯域の電力線搬送信号を抑制することを特徴とする請求項１または２に記載の電力線搬送信号処理装置。
【請求項５】
第一の電力線搬送信号が流れる第一の電力線が貫通するための中空部を有する開閉可能なトロイダル形の第一のフェライトコアと、該第一のフェライトコアに巻回され、上記第
一の電力線に流れる第一の電力線搬送信号が上記第一のフェライトコアの中空部を通過するときに発生する磁界により電流が発生する第一の導線と、第一の電力線搬送信号が流れる上記第一の電力線が貫通するための中空部を有する開閉可能なトロイダル形の第二のフェライトコアと、該第二のフェライトコアに巻回され、上記第一の電力線を流れる第一の電力線搬送信号が上記第二のフェライトコアの中空部を通過するときに発生する磁界により電流が発生する第二の導線と、第二の電力線搬送信号が流れる第二の電力線が貫通するための中空部を有する開閉可能なトロイダル形の第三のフェライトコアと、該第三のフェライトコアに巻回され、上記第二の電力線に流れる第二の電力線搬送信号が第三のフェライトコアの中空部を通過するときに発生する磁界により電流が発生する第三の導線と、第二の電力線搬送信号が流れる上記第二の電力線が貫通するための中空部を有する開閉可能なトロイダル形の第四のフェライトコアと、該第四のフェライトコアに巻回され、上記第二の電力線を流れる第二の電力線搬送信号が上記第四のフェライトコアの中空部を通過するときに発生する磁界により電流が発生する第四の導線と、上記第一の導線に発生する電流、上記第二の導線に発生する電流、上記第三の導線に発生する電流および上記第四の導線に発生する電流が互いに打ち消されるように、上記第一の導線、上記第二の導線、上記第三の導線および上記第四の導線を直列に接続する配線とを備えていることを特徴とする電力線搬送信号処理装置。
【請求項６】
上記配線にコンデンサを挿入し、特定周波数帯域の電力線搬送信号を抑制することを特徴とする請求項５に記載の電力線搬送信号処理装置。
【請求項７】
上記配線にコンデンサとコイルからなるＬＣ並列共振回路を挿入し、特定周波数帯域の電力線搬送信号を抑制することを特徴とする請求項５に記載の電力線搬送信号処理装置。
【請求項８】
上記第一のフェライトコアに巻回され、上記第一の電力線搬送信号と周波数帯域の異なる第三の電力線搬送信号が上記第一のフェライトコアの中空部を通過するときに発生する磁界により電流が発生する第五の導線と、上記第三のフェライトコアに巻回され、上記第二の電力線搬送信号と周波数帯域の異なる第四の電力線搬送信号が上記第三のフェライトコアの中空部を通過するときに発生する磁界により電流が発生する第六の導線と、第三の電力線搬送信号が流れる上記第三の電力線を貫通するための中空部を有するトロイダル形の第五のフェライトコアと、該第五のフェライトコアに巻回され、上記第三の電力線に流れる第三の電力線搬送信号が上記第五のフェライトコアの中空部を通過するときに発生する磁界により電流が発生する第七の導線と、第四の電力線搬送信号が流れる上記第四の電力線を貫通するための中空部を有するトロイダル形の第六のフェライトコアと、該第六のフェライトコアに巻回され、上記第四の電力線に流れる第四の電力線搬送信号が上記第六のフェライトコアの中空部を通過するときに発生する磁界により電流が発生する第八の導線と、上記第五の導線に発生する電流、上記第六の導線に流れる電流、上記第七の導線に発生する電流および上記第八の導線に流れる電流が、互いに打ち消し合うことなく同じ方向に流れるように、上記第五の導線、上記第六の導線、上記第七の導線および上記第八の導線を直列に接続する配線を備えていることを特徴とする請求項５に記載の電力線搬送信号処理装置。
【請求項９】
上記電力線は、ＰＬＣモデムで使用されるケーブルであることを特徴とする請求項１、２、５のいずれか１項に記載の電力線搬送信号処理装置。
【発明の詳細な説明】
【技術分野】
【０００１】
この発明は、電力線搬送（ＰＬＣ：Power Line Communication）信号処理装置に係り、更に詳しくは、トロイダル形のフェライトコアおよびこのフェライトコアに巻かれた導線の配線方式によって、電力線上またはＰＬＣモデムで使用されるケーブルを流れるＰＬＣ信号をブロッキングあるいはバイパスできる電力線搬送信号処理装置に関する。
【背景技術】
【０００２】
従来は、電力線搬送信号（ＰＬＣ信号）が流れている電力線もしくはＰＬＣモデムで使用されるケーブルにおいてＰＬＣ信号をブロッキング（抑制／遮断）する場合、ブロッキングフィルタを電力線もしくはケーブルに直接接合することによってＰＬＣ信号をブロッキングしたり、フェライトコアのみを電力線に直接接合することなく装着することによりＰＬＣ信号をブロッキングしていた。
特許文献１（特開２００３−１７４３４９号公報）には、バンドパスフィルタとフェライトコアおよびコンデンサを有するブロッキングフィルタを電力線もしくはＰＬＣモデムで使用されるケーブルに直接接合することにより、特定の通信周波数帯域をブロッキングする方式が示されている。【０００３】
【特許文献１】特開２００３−１７４３４９号公報
【発明の開示】
【発明が解決しようとする課題】
【０００４】
従来技術によるＰＬＣ信号のブロッキング方式は、ブロッキングフィルタをＰＬＣ信号が流れる電力線もしくはケーブルに直接接合する必要があった。
従って、ブロッキングフィルタを電力線もしくはケーブルに接合する場合は、一時停電させる必要があり、工事時間が長くなるなどの問題点があった。【０００５】
本発明は、このような問題点を解決するためになされたものであり、停電工事の必要もなく、且つ、工事時間も大幅に短縮して、電力線もしくはケーブルに流れるＰＬＣ信号をブロッキングあるいはバイバスすることができる電力線搬送信号処理装置を提供することを目的とする。
【課題を解決するための手段】
【０００６】
この発明に係わる電力線搬送信号処理装置は、電力線搬送信号が流れる電力線が貫通するための中空部を有する開閉可能なトロイダル形のフェライトコアと、該フェライトコアに巻回され、上記電力線に流れる電力線搬送信号が上記フェライトコアの中空部を通過するときに発生する磁界により電流が発生する第一の導線と、上記フェライトコアに巻回され、上記電力線に流れる電力線搬送信号が上記フェライトコアの中空部を通過するときに発生する磁界により電流が発生する第二の導線と、上記第一の導線に発生する電流と上記第二の導線に発生する電流とが互いに打ち消されるように、上記第一の導線と上記第二の導線を直列に接続する配線とを備えたものである。【０００７】
また、この発明に係わる電力線搬送信号処理装置は、電力線搬送信号が流れる電力線が貫通するための中空部を有する開閉可能なトロイダル形の第一のフェライトコアと、該第一のフェライトコアに巻回され、上記電力線に流れる電力線搬送信号が上記第一のフェライトコアの中空部を通過するときに発生する磁界により電流が発生する第一の導線と、上記電力線搬送信号が流れる電力線が貫通するための中空部を有する開閉可能なトロイダル形の第二のフェライトコアと、該第二のフェライトコアに巻回され、上記電力線を流れる電力線搬送信号が上記第二のフェライトコアの中空部を通過するときに発生する磁界により電流が発生する第二の導線と、上記第一の導線に発生する電流と上記第二の導線に発生する電流とが互いに打ち消されるように、上記第一の導線と上記第二の導線を直列に接続する配線とを備えたものである。【０００８】
また、この発明に係わる電力線搬送信号処理装置は、第一の電力線搬送信号が流れる第一の電力線が貫通するための中空部を有する開閉可能なトロイダル形の第一のフェライトコアと、該第一のフェライトコアに巻回され、上記第一の電力線に流れる第一の電力線搬送信号が上記第一のフェライトコアの中空部を通過するときに発生する磁界により電流が発生する第一の導線と、第一の電力線搬送信号が流れる上記第一の電力線が貫通するための中空部を有する開閉可能なトロイダル形の第二のフェライトコアと、該第二のフェライトコアに巻回され、上記第一の電力線を流れる第一の電力線搬送信号が上記第二のフェライトコアの中空部を通過するときに発生する磁界により電流が発生する第二の導線と、第二の電力線搬送信号が流れる第二の電力線が貫通するための中空部を有する開閉可能なトロイダル形の第三のフェライトコアと、該第三のフェライトコアに巻回され、上記第二の電力線に流れる第二の電力線搬送信号が第三のフェライトコアの中空部を通過するときに発生する磁界により電流が発生する第三の導線と、第二の電力線搬送信号が流れる上記第二の電力線が貫通するための中空部を有する開閉可能なトロイダル形の第四のフェライトコアと、該第四のフェライトコアに巻回され、上記第二の電力線を流れる第二の電力線搬送信号が上記第四のフェライトコアの中空部を通過するときに発生する磁界により電流が発生する第四の導線と、上記第一の導線に発生する電流、上記第二の導線に発生する電流、上記第三の導線に発生する電流および上記第四の導線に発生する電流が互いに打ち消されるように、上記第一の導線、上記第二の導線、上記第三の導線および上記第四の導線を直列に接続する配線とを備えたものである。
【発明の効果】
【００１０】
この発明の電力線搬送信号処理装置によれば、電力線搬送信号が流れる電力線が貫通するトロイダル形のフェライトコアは開閉が可能であるので、電力線に流れる電流を切断することなくフェライトコアを電力線に容易に装着することができ、停電工事の必要もなく、且つ、工事時間も大幅に短縮できる。
更に、第一の導線に発生する電流と第二の導線に発生する電流が互いに打ち消されるように配線されているので、電力線搬送信号がフェライトコアの中空部を通過するときに発生する磁界が抑圧され、電力線に流れる電力線搬送信号が抑制（ブロッキング）される。【００１１】
また、この発明の電力線搬送信号処理装置によれば、電力線搬送信号が流れる電力線が貫通するトロイダル形の第一のフェライトコアおよび第二のフェライトコアは、いずれも開閉が可能であるので、電力線に流れる電流を切断することなく、第一および第二のフェライトコアを電力線に容易に装着することができ、停電工事の必要もなく、且つ、工事時間も大幅に短縮できる。
更に、第一のフェライトコアに巻回された第一の導線に発生する電流と第二のフェライトコアに巻回された第二の導線に発生する電流が互いに打ち消されるように配線されているので、電力線搬送信号が第一および第二のフェライトコアの中空部を通過するときに発生する磁界が抑圧され、電力線に流れる電力線搬送信号が更に抑制される。【００１２】
また、この発明の電力線搬送信号処理装置によれば、第一の電力線搬送信号が流れる第一の電力線が貫通するトロイダル形の第一のフェライトコア、第一の電力線搬送信号が流れる第一の電力線が貫通有するトロイダル形の第二のフェライトコア、第二の電力線搬送信号が流れる第二の電力線が貫通するための中空部を有するトロイダル形の第三のフェライトコアおよび第二の電力線搬送信号が流れる第二の電力線が貫通するための中空部を有するトロイダル形の第四のフェライトコアは、いずれも開閉が可能であるので、第一および第二の電力線に流れる電流を切断することなく、第一〜第四のフェライトコアを第一あるいは第二の電力線に容易に装着でき、停電工事の必要もなく、且つ、工事時間も大幅に短縮できる。
更に、第一の導線に発生する電流、第二の導線に発生する電流、第三の導線に発生する電流および第四の導線に発生する電流が互いに打ち消されるように配線されているので、第一の電力線に流れる第一の電力搬送信号および第二の電力線に流れる第二の電力線搬送信号を同時に効率よく抑制できる。
【発明を実施するための最良の形態】
【００１４】
以下、図面に基づいて、本発明の一実施の形態について説明する。
なお、各図間において、同一符合は、同一あるいは相当のものであることを表す。
実施の形態１．
図１は、この発明の実施の形態1による電力線搬送信号処理装置の構成を概念的に示す図である。
図において、１は電力線であり、電力線１には５０／６０Ｈｚの交流電力３および電力線搬送（ＰＬＣ：Power Line Communication）信号４が流れる。
また、２は交流電力３および電力線搬送信号４が流れる電力線１が貫通するための中空部を有するトロイダル形のフェライトコアである。
図示はしていないが、このトロイダル形のフェライトコア２は、開閉（開鎖）が可能なように、例えば２分割されたコアで構成されており、２分割されたコアを開くことによって中空部に電力線１を貫通させることができるようになっている。
従って、電力線搬送信号４が流れる電力線１が貫通するトロイダル形のフェライトコアは開閉が可能であるので、電力線１に流れる電流を切断することなくフェライトコア２を電力線に容易に装着することができる。
つまり、開閉可能なトロイダル形をしたフェライトコア２は、その中空部に電力線１を貫通させ、電力線１に直接接合することなく装着されている。【００１５】
５ａはフェライトコア２に所定の巻数（一定の巻数比）で巻回されている第一の導線、５ｂはフェライトコア２に所定の巻数で巻回されている第二の導線である。
この第一の導線５ａおよび第二の導線５ｂには、電力線１に流れる電力線搬送信号４がフェライトコア２の中空部を通過するときに発生する磁界６により電流が流れる。
図において、７ａは磁界６によって第一の導線５ａに流れる（発生する）電流、７ｂは磁界６によって第二の導線５ｂに流れる（発生する）電流である。
また、８は、第一の導線５ａに発生する電流７ａと第二の導線５ｂに発生する電流７ｂとが互いに打ち消されるように、第一の導線５ａと第二の導線５ｂを直列に接続している配線である。
なお、電流７ａと電流７ｂは互いに打ち消し合あうので、配線８には電流はほとんど流れない。
このように、第一の導線５ａに発生する電流７ａおよび第二の導線５ｂに発生する電流７ｂは、配線８によって互いに打ち消しあうので、電力線１に流れる電力線搬送信号４がフェライトコア２の中空部を通過するときに発生する磁界６は抑圧されて、図に示す抑圧された磁界９のようになる。
結果として、ＰＬＣ信号（電力線搬送信号）４は、図に示したような抑制されたＰＬＣ信号１０となる。
つまり、電力線１を流れるＰＬＣ信号をブロッキングすることが可能となる。【００１６】
以上説明したように、本実施の形態による電力線搬送信号処理装置は、電力線搬送信号４が流れる電力線１が貫通するための中空部を有する開閉可能なトロイダル形のフェライトコア２と、このフェライトコア２に巻回され、電力線１に流れる電力線搬送信号４がフェライトコア２の中空部を通過するときに発生する磁界６により電流が発生する第一の導線５ａと、フェライトコア２に巻回され、電力線１に流れる電力線搬送信号４がフェライトコア２の中空部を通過するときに発生する磁界６により電流が発生する第二の導線５ｂと、第一の導線５ａに発生する電流７ａと第二の導線５ｂに発生する電流７ｂとが互いに打ち消されるように、第一の導線５ａと第二の導線５ｂを直列に接続する配線８とを備えている。
従って、本実施の形態による電力線搬送信号処理装置によれば、電力線搬送信号が流れる電力線が貫通するトロイダル形のフェライトコアは開閉が可能であるので、電力線に流れる電流を切断することなくフェライトコアを電力線に装着することができ、停電工事の必要もなく、且つ、工事時間も大幅に短縮できる。
更に、第一の導線に発生する電流と第二の導線に発生する電流が互いに打ち消されるように配線されているので、電力線搬送信号がフェライトコアの中空部を通過するときに発生する磁界が抑圧され、電力線に流れる電力線搬送信号を抑制（ブロッキング）することができる。【００１７】
実施の形態２．
図２は、実施の形態２による電力線搬送信号処理装置の構成を概念的に示す図である。
図において、１は電力線であり、電力線１には５０／６０Ｈｚの交流電力３および電力線搬送信号（ＰＬＣ信号）４が流れる。
また、２ａは交流電力３および電力線搬送信号４が流れる電力線１が貫通するための中空部を有する第一のトロイダル形のフェライトコア、２ｂは交流電力３および電力線搬送信号４が流れる電力線１が貫通するための中空部を有する第二のトロイダル形のフェライトコアである。
図示はしていないが、実施の形態１の場合と同様に、トロイダル形のフェライトコア２は、開閉が可能なように、例えば２分割されたコアで構成されており、２分割されたコアを開くことにより中空部に電力線１を貫通させることができるようになっている。
従って、電力線搬送信号４が流れる電力線１が貫通するトロイダル形の第一のフェライトコア２ａおよび第二のフェライトコア２ｂは開閉が可能であるので、電力線１に流れる電流を切断することなく第一のフェライトコア２ａおよび第二のフェライトコア２ｂを電力線１に容易に装着することができる。
つまり、開閉可能なトロイダル形をした第一のフェライトコア２ａおよび第二のトロイダルコア２ｂは、その中空部に電力線１を貫通させ、電力線１に直接接合することなく装着されている。【００１８】
５ａは、フェライトコア２に所定の巻数で巻回されている第一の導線、５ｂはフェライトコア２に所定の巻数で巻回されている第二の導線である。
この第一の導線５ａには、電力線１に流れる電力線搬送信号４がフェライトコア２ａの中空部を通過するときに発生する磁界６ａにより電流が流れる。
また、第二の導線５ｂには、電力線１に流れる電力線搬送信号４がフェライトコア２ｂの中空部を通過するときに発生する磁界６ｂにより電流が流れる。
図において、７ａは磁界６ａによって第一の導線５ａに流れる（発生する）電流、７ｂは磁界６ｂによって第二の導線５ｂに流れる（発生する）電流である。
また、８は、第一のフェライトコア２ａに巻回されている第一の導線５ａに発生する電流７ａと、第二のフェライトコア２ｂに巻回されている第二の導線５ｂに発生する電流７ｂとが互いに打ち消されるように、第一の導線５ａと第二の導線５ｂを直列に接続している配線である。
なお、電流７ａと電流７ｂは互いに打ち消し合あうので、配線８には電流はほとんど流れない。【００１９】
このように、第一の導線５ａに発生する電流７ａおよび第二の導線５ｂに発生する電流は、配線８により互いに打ち消しあうので、電力線１に流れる電力線搬送信号４が第一のフェライトコア２ａの中空部を通過するときに発生する磁界６ａおよび電力線１に流れる電力線搬送信号４が第二のフェライトコア２ｂの中空部を通過するときに発生する磁界６ｂは抑圧されて、それぞれ図に示す抑圧された磁界９ａ、磁界９ｂのようになる。
結果として、ＰＬＣ信号（電力線搬送信号）４は、図に示したような抑制されたＰＬＣ信号１０となる。つまり、電力線１を流れるＰＬＣ信号４をブロッキングすることが可能となる。
なお、本実施の形態では、第一のフェライトコア２ａと第二のフェライトコア２ｂの２つのフェライトコアを用いているので、実施の形態１の場合に比べて、電力線１を流れるＰＬＣ信号４を更に効果的に抑制できる。【００２０】
以上説明したように、本実施の形態による電力線搬送信号処理装置は、電力線搬送信号４が流れる電力線１が貫通するための中空部を有する開閉可能なトロイダル形の第一のフェライトコア２ａと、第一のフェライトコア２ａに巻回され、電力線１に流れる電力線搬送信号４が第一のフェライトコア２ａの中空部を通過するときに発生する磁界６ａにより電流７ａが発生する第一の導線５ａと、電力線搬送信号４が流れる電力線１が貫通するための中空部を有する開閉可能なトロイダル形の第二のフェライトコア２ｂと、第二のフェライトコア２ｂに巻回され、電力線１を流れる電力線搬送信号４が第二のフェライトコア２ｂの中空部を通過するときに発生する磁界６ｂにより電流７ｂが発生する第二の導線５ｂと、第一の導線５ａに発生する電流７ａと第二の導線５ｂに発生する電流７ｂとが互いに打ち消されるように、第一の導線５ａと第二の導線５ｂを直列に接続する配線８とを備えている。
従って、本実施の形態による電力線搬送信号処理装置によれば、電力線搬送信号４が流れる電力線１が貫通するトロイダル形の第一のフェライトコア２ａおよび第二のフェライトコア２ｂは、いずれも開閉が可能であるので、電力線１に流れる電流を切断することなく、第一のフェライトコア２ａおよび第二のフェライトコア２ｂを電力線１に容易に装着することができ、停電工事の必要もなく、且つ、工事時間も大幅に短縮できる。
更に、第一のフェライトコア２ａに巻回された第一の導線５ａに発生する電流７ａと第二のフェライトコア２ｂに巻回された第二の導線５ｂに発生する電流７ｂが互いに打ち消されるように配線されているので、電力線搬送信号４が第一および第二のフェライトコアの中空部を通過するときに発生する磁界が抑圧され、電力線１に流れる電力線搬送信号４が更に抑制される。【００２１】
実施の形態３．
本実施の形態による電力線搬送信号処理装置は、前述の実施の形態１あるいは実施の形態２による電力線搬送信号処理装置において、更に、配線にコンデンサを挿入して、特定周波数帯域の電力線搬送信号を抑制するようにしたことを特徴とするものである。
図３よび図４は、実施の形態３による電力線搬送信号処理装置の構成を概念的に示す図である。
なお、図３は、実施の形態１による電力線搬送信号処理装置において配線８にコンデンサ１１を挿入した場合を示しており、図４は、実施の形態２による電力線搬送信号処理装置において配線８にコンデンサ１１を挿入した場合を示している。
図５は、本実施の形態による電力線搬送信号処理装置の効果（即ち、実施の形態１あるいは実施の形態２による電力線搬送信号処理装置の配線８にコンデンサを挿入した場合の効果）を説明するための図である。【００２２】
前述の実施の形態１あるいは実施の形態２による電力線搬送信号処理装置の配線８に所定容量のコンデンサ１１を挿入することにより、図５に示すように、ブロッキングしたい通信周波数帯域１６に対して、ＰＬＣ信号１４を波線部１５内の特性のように減衰させることができるので、所望する特定周波数帯域においてＰＬＣ信号をブロッキングすることが可能になる。
なお、図５において、ＰＬＣ電流１２はフェライトコアを電力線に装着していないときの状態、ＰＬＣ電流１３はフェライトコアを電力線に直接接合することなく装着し、導線を流れる電流が互いに打ち消しあうよう配線したとき（即ち、実施の形態１あるいは実施の形態２の場合）の状態、ＰＬＣ電流１４は実施の形態１あるいは実施の形態２の場合において配線にコンデンサ１１を挿入したとき（即ち、本実施の形態の場合）の状態を示している。
このように、本実施の形態においては、実施の形態１あるいは実施の形態２による電力線搬送信号処理装置における配線８に所定容量のコンデンサ１１を挿入したことにより、特定周波数帯域におけるインピーダンスを大きくすることが可能となり、特定周波数帯域の電力線搬送信号を効率よく抑制することができる。【００２３】
実施の形態４．
本実施の形態による電力線搬送信号処理装置は、前述の実施の形態３による電力線搬送信号処理装置において、コンデンサ１１に代えて、コイルとコンデンサからなるＬＣ並列共振回路１７を配線８に挿入することにより、特定周波数帯域の電力線搬送信号をより効果的に抑制するようにしたことを特徴とするものである。
即ち、本実施の形態による電力線搬送信号処理装置は、前述の実施の形態１あるいは実施の形態２による電力線搬送信号処理装置において、更に、配線にコイルとコンデンサからなるＬＣ並列共振回路を挿入して、特定周波数帯域の電力線搬送信号をより効果的に抑制するようにしたものである。【００２４】
図６および図７は、実施の形態４による電力線搬送信号処理装置の構成を概念的に示す図である。
なお、図６は、実施の形態１による電力線搬送信号処理装置において配線８にコイルとコンデンサからなるＬＣ並列共振回路１７を挿入した場合を示しており、図７は、実施の形態２による電力線搬送信号処理装置において配線８にコイルとコンデンサからなるＬＣ並列共振回路１７を挿入した場合を示している。
このように、本実施の形態による電力線搬送信号処理装置は、実施の形態１あるいは実施の形態２による電力線搬送信号処理装置の配線８に、等価的にコンデンサとコイルが並列に接続されているＬＣ並列共振回路１７を挿入することにより、実施の形態３の場合と比べて、特定周波数帯域におけるインピーダンスを無限大にすることが可能となる。
従って、実施の形態３に比べて、特定周波数帯域の電力線搬送信号を更に効果的に抑制することができる。【００２５】
実施の形態５．
図８は、この発明の実施の形態５による電力線搬送信号処理装置の構成を概念的に示す図である。
図において、１ａは第一の交流電力３ａおよび第一の電力線搬送信号４ａが流れる第一の電力線、１ｂは第二の交流電力３ｂおよび第二の電力線搬送信号４ｂが流れる第二の電力線である。
この第一の電力線１ａおよび第二の電力線１ｂは、１００Ｖ／２００Ｖ／０Ｖの交流電圧を有する活線もしくは中性線である。
例えば、第一の電力線１ａには１００Ｖの交流圧が掛かっており、第二の電力線１ｂは０Ｖのニュートラル線である。
２ａは第一の電力線１ａが貫通するための中空部を有する第一のトロイダル形のフェライトコア、２ｂは第一の電力線１ａが貫通するための中空部を有する第二のトロイダル形のフェライトコアである。
また、２ｃは第二の電力線１ｂが貫通するための中空部を有する第三のトロイダル形のフェライトコア、２ｄは第二の電力線１ｂが貫通するための中空部を有する第四のトロイダル形のフェライトコアである。【００２６】
実施の形態１あるいは実施の形態２で説明したように、図示はしていないが、これら４つのトロイダル形のフェライトコア２ａ〜２ｄは、それぞれ開閉が可能なように、例えば２分割されたコアで構成されており、２分割されたコアを開くことによって中空部に電力線を貫通させることができるようになっている。
従って、これら４つのトロイダル形のフェライトコア２ａ〜２ｄは開閉が可能であるので、第一の電力線１ａあるいは第二の電力線１ｂに流れる電流を切断することなくフェライトコアを電力線に容易に装着することができる。
つまり、開閉可能なトロイダル形をしたこれらのフェライトコアは、その中空部に電力線を貫通させ、電力線に直接接合することなく装着されている。【００２７】
５ａは、第一のフェライトコア２ａに所定の巻数で巻回されている第一の導線、５ｂは第二のフェライトコア２ｂに所定の巻数で巻回されている第二の導線である。
この第一の導線５ａおよび第二の導線５ｂには、第一の電力線１ａに流れる電力線搬送信号４ａが第一のフェライトコア２ａおよび第二のフライトコア２ｂの中空部を通過するときに発生する磁界６ａおよび磁界６ｂにより電流が流れる。
同様に、５ｃは、第三のフェライトコア２ｃに所定の巻数で巻回されている第三の導線、５ｄは第四のフェライトコア２ｄに所定の巻数で巻回されている第四の導線である。
この第三の導線５ｃおよび第四の導線５ｄには、第二の電力線１ｂに流れる電力線搬送信号４ｂが第三のフェライトコア２ｃおよび第四のフライトコア２ｄの中空部を通過するときに発生する磁界６ｃおよび磁界６ｄにより電流が流れる。
図において、７ａは磁界６ａによって第一の導線５ａに流れる（発生する）電流、７ｂは磁界６ｂによって第二の導線５ｂに流れる電流、７ｃは磁界６ｃによって第三の導線５ｃに流れる電流、７ｄは磁界６ｄによって第四の導線５ｄに流れる電流、である。【００２８】
また、８０は、第一の導線５ａに発生する電流７ａ、第二の導線５ｂに発生する電流７ｂ、第三の導線５ｃに発生する電流７ｃ、第四の導線５ｄに発生する電流７ｄが互いに打ち消されるように、第一の導線５ａ、第二の導線５ｂ、第三の導線５ｃ、第四の導線５ｄを直列に接続している配線である。
電流７ａ〜電流７ｄは互いに打ち消し合あうので、配線８０には電流はほとんど流れない。なお、図に示した波線ブロックは、配線８０の全体を示している。
このように、第一の導線５ａに発生する電流７ａ、第二の導線５ｂに発生する電流７ｂ、第三の導線５ｃに発生する電流７ｃ、第四の導線５ｄに発生する電流７ｄは、配線８０により互いに打ち消しあう。
従って、第一の電力線１ａに流れる電力線搬送信号４ａが第一のフェライトコア２ａおよび第二のフェライトコア２ｂの中空部を通過するときに発生する磁界６ａ、磁界６ｂ、第二の電力線１ｂに流れる電力線搬送信号４ｂが第三のフェライトコア２ｃおよび第四のフェライトコア２ｄの中空部を通過するときに発生する磁界６ｃ、磁界６ｄは、それぞれ抑圧されて、図に示す抑圧された磁界９ａ、９ｂ、９ｃ、９ｄのようになる。
結果として、第一の電力線１ａに流れるＰＬＣ信号４ａおよびは第二の電力線１ｂに流れるＰＬＣ信号４ｂは、図に示したような抑制されたＰＬＣ信号１０ａおよびＰＬＣ信号１０ｂとなる。
つまり、第一の電力線および第二の電力線を流れるＰＬＣ信号を同時にブロッキングすることが可能となる。【００２９】
なお、本実施の形態による力線搬送信号処理装置の構成を示す図８は、実施の形態４で説明したコンデンサとコイルからなるＬＣ並列共振回路１７を配線８０に挿入した場合を示している。
配線８０に、コンデンサとコイルが並列に接続されているＬＣ並列共振回路１７を挿入することにより、特定周波数帯域におけるインピーダンスを無限大にすることが可能となり、特定周波数帯域の電力線搬送信号を非常に効果的に抑制することができる。
また、コンデンサとコイルが並列に接続されているＬＣ並列共振回路１７に代えて、実施の形態３のように、配線８０に、コンデンサ１１を挿入してもよい。
実施の形態３で説明したように、配線８０にコンデンサ１１を挿入することにより、特定周波数帯域におけるインピーダンスを大きくすることが可能となり、特定周波数帯域の電力線搬送信号を効率よく抑制することができる。【００３０】
以上説明したように、本実施の形態による電力線搬送信号処理装置は、第一の電力線搬送信号４ａが流れる第一の電力線１ａが貫通するための中空部を有する開閉可能なトロイダル形の第一のフェライトコア２ａと、第一のフェライトコア２ａに巻回され、第一の電力線１ａに流れる第一の電力線搬送信号４ａが第一のフェライトコア２ａの中空部を通過するときに発生する磁界６ａにより電流が発生する第一の導線５ａと、第一の電力線搬送信号４ａが流れる第一の電力線１ａが貫通するための中空部を有する開閉可能なトロイダル形の第二のフェライトコア２ｂと、第二のフェライトコア２ｂに巻回され、第一の電力線１ａを流れる第一の電力線搬送信号４ａが第二のフェライトコア２ａの中空部を通過するときに発生する磁界６ｂにより電流が発生する第二の導線５ｂと、第二の電力線搬送信号４ｂが流れる第二の電力線１ｂが貫通するための中空部を有する開閉可能なトロイダル形の第三のフェライトコア２ｃと、第三のフェライトコア２ｃに巻回され、第二の電力線１ｂに流れる第二の電力線搬送信号４ｂが第三のフェライトコア２ｃの中空部を通過するときに発生する磁界６ｃにより電流が発生する第三の導線５ｃと、第二の電力線搬送信号４ｂが流れる第二の電力線１ｂが貫通するための中空部を有する開閉可能なトロイダル形の第四のフェライトコア２ｄと、第四のフェライトコア２ｄに巻回され、第二の電力線１ｂを流れる第二の電力線搬送信号４ｂが第四のフェライトコア２ｄの中空部を通過するときに発生する磁界６ｄにより電流が発生する第四の導線５ｄと、第一の導線５ａに発生する電流、第二の導線５ｂに発生する電流、第三の導線５ｃに発生する電流および第四の導線５ｄに発生電流が互いに打ち消されるように、第一の導線５ａ、第二の導線５ｂ、第三の導線５ｃおよび第四の導線５ｄを直列に接続する配線８０とを備えている。【００３１】
従って、本実施の形態による電力線搬送信号処理装置によれば、第一の電力線搬送信号４ａが流れる第一の電力線１ａが貫通するトロイダル形の第一のフェライトコア２ａ、第一の電力線搬送信号４ａが流れる第一の電力線１ａが貫通有するトロイダル形の第二のフェライトコア２ｂ、第二の電力線搬送信号４ｂが流れる第二の電力線１ｂが貫通するための中空部を有するトロイダル形の第三のフェライトコア２ｃおよび第二の電力線搬送信号４ｂが流れる第二の電力線１ｂが貫通するための中空部を有するトロイダル形の第四のフェライトコア２ｄは、いずれも開閉が可能であるので、第一および第二の電力線に流れる電流を切断することなく、第一〜第四のフェライトコアを第一あるいは第二の電力線に容易に装着でき、停電工事の必要もなく、且つ、工事時間も大幅に短縮できる。
更に、第一の導線５ａに発生する電流、第二の導線５ｂに発生する電流、第三の導線５ｃに発生する電流および第四の導線５ｄに発生電流が互いに打ち消されるように配線されているので、第一の電力線１ａに流れる第一の電力搬送信号４ａおよび第二の電力線１ｂに流れる第二の電力線搬送信号４ｂを同時に効率よく抑制できる。【００３２】
実施の形態６．
図９は、この発明の実施の形態６による電力線搬送信号処理装置の構成を概念的に示す図である。
図において、６０ａは第一の電力設備、６０ｂは第二の電力設備であって、第一の電力設備６０ａと第二の電力設備６０ｂは、基本的には一体的に構成されているものであり、例えば、電力計のように電圧の掛かった電力線と零電位の電力線（ニュートラル線）に配置され、電力線を流れるＰＬＣ信号を妨げる電力設備である。
なお、電力線に配置される電力計等のような電力設備は、通常の５０／６０Ｈｚの交流電力に対しては影響なく、周波数の高いＰＬＣ信号のみの流れを妨げる場合が多い。
また、１ａは第一の電力線、１ｂは第二の電力線であって、第一の電力線１ａと第二の電力線１ｂは、第一の電力設備６０ａを介して接続される。
同様に、１ｃは第三の電力線、１ｄは第四の電力線であって、第三の電力線１ｃと第四の電力線１ｄは、第二の電力設備６０ｂを介して接続される。
第一の電力設備６０ａを介して接続されている第一の電力線１ａと第二の電力線１ｂからなる電力線、および第二の電力設備６０ｂを介して接続されている第三の電力線１ｃと第四の電力線１ｄからなる電力線は、１００Ｖ／２００Ｖ／０Ｖの交流電圧を有する活線もしくは中性線である。
例えば、第一の電力設備６０ａを介して接続されている第一の電力線１ａと第二の電力線１ｂには１００Ｖの交流圧が掛かっており、第二の電力設備６０ｂを介して接続されている第三の電力線１ｃと第四の電力線１ｄは０Ｖのニュートラル線である。【００３３】
２ａは第一の電力線搬送信号４ａが流れる第一の電力線１ａが貫通するための中空部を有するトロイダル形の第一のフェライトコア、５ａは第一のフェライトコア２ａに所定の巻数で巻回され、第一の電力線１ａに流れる第一の電力線搬送信号４ａが第一のフェライトコア２ａの中空部を通過するときに発生する磁界６ａにより電流７ａが発生する第一の導線である。
なお、中空部に第一の電力線１ａが貫通したトロイダル形の第一のフェライトコア２ａに第一の導線５ａが巻回されている構成においては、第一の電力線搬送信号４ａが第一のフェライトコア２ａの中空部を通過するときに発生する磁界６ａにより第一の導線５ａに電流７ａが流れるが、一方、巻回されている第一の導線５ａに電流７ａを流すと、この電流７ａによって第一のフェライトコア２ａに磁界６ａが発生し、この磁界６ａによって第一の電力線１ａに第一の電力線搬送信号４ａが発生する。
２ｂは第二の電力線搬送信号４ｂが流れる第二の電力線１ｂが貫通するための中空部を有するトロイダル形の第二のフェライトコア、５ｂは第二のフェライトコア２ｂに所定の巻数で巻回され、第二の電力線１ｂに流れる第二の電力線搬送信号４ｂが第二のフェライトコア２ｂの中空部を通過するときに発生する磁界６ｂにより電流７ｂが発生する第二の導線である。
なお、中空部に第二の電力線１ｂが貫通したトロイダル形の第二のフェライトコア２ｂに第二の導線５ｂが巻回されている構成においては、第二の電力線搬送信号４ｂが第二のフェライトコア２ｂの中空部を通過するときに発生する磁界６ｂにより第二の導線５ｂに電流７ｂが流れるが、一方、巻回されている第二の導線５ｂに電流７ｂを流すと、この電流７ｂによって第二のフェライトコア２ｂに磁界６ｂが発生し、この磁界６ｂによって第二の電力線１ｂに第二の電力線搬送信号４ｂが発生する。【００３４】
２ｃは第三の電力線搬送信号４ｃが流れる第三の電力線１ｃが貫通するための中空部を有するトロイダル形の第三のフェライトコア、５ｃは第三のフェライトコア２ｃに所定の巻数で巻回され、第三の電力線１ｃに流れる第三の電力線搬送信号４ｃが第三のフェライトコア２ｃの中空部を通過するときに発生する磁界６ｃにより電流７ｃが発生する第三の導線である。
なお、中空部に第三の電力線１ｃが貫通したトロイダル形の第三のフェライトコア２ｃに第三の導線５ｃが巻回されている構成においては、第三の電力線搬送信号４ｃが第三のフェライトコア２ｃの中空部を通過するときに発生する磁界６ｃにより第三の導線５ｃに電流７ｃが流れるが、一方、巻回されている第三の導線５ｃに電流７ｃを流すと、この電流７ｃによって第三のフェライトコア２ｃに磁界６ｃが発生し、この磁界６ｃによって第三の電力線１ｃに第三の電力線搬送信号４ｃが発生する。
２ｄは第四の電力線搬送信号４ｄが流れる第四の電力線１ｄが貫通するための中空部を有するトロイダル形の第四のフェライトコア、５ｄは第四のフェライトコア２ｄに所定の巻数で巻回され、第四の電力線１ｄに流れる第四の電力線搬送信号４ｄが第四のフェライトコア２ｄの中空部を通過するときに発生する磁界６ｄにより電流７ｄが発生する第四の導線である。
なお、中空部に第四の電力線１ｄが貫通したトロイダル形の第四のフェライトコア２ｄに第四の導線５ｄが巻回されている構成においては、第四の電力線搬送信号４ｄが第四のフェライトコア２ｄの中空部を通過するときに発生する磁界６ｄにより第四の導線５ｄに電流７ｄが流れるが、一方、巻回されている第四の導線５ｄに電流７ｄを流すと、この電流７ｄによって第四のフェライトコア２ｄに磁界６ｄが発生し、この磁界６ｄによって第四の電力線１ｄに第三の電力線搬送信号４ｄが発生する。【００３５】
図示はしていないが、実施の形態１あるいは実施の形態２の場合と同様に、４つのトロイダル形のフェライトコア（即ち、第一のフェライトコア２ａ〜第四のフェライトコア２ｄ）は、開閉が可能なように、例えば２分割されたコアで構成されており、２分割されたコアを開くことにより中空部に電力線を貫通させることができるようになっている。
従って、電力線搬送信号が流れる電力線が貫通する４つのトロイダル形のフェライトコア（即ち、第一のフェライトコア２ａ〜第四のフェライトコア２ｄ）はいずれも開閉が可能であるので、電力線に流れる電流を切断することなく各フェライトコアをそれぞれ対応する電力線に容易に装着することができる。
つまり、開閉可能なトロイダル形をした各フェライトコアは、その中空部に電力線を貫通させ、電力線に直接接合することなく装着されている。
８１は、第一の導線５ａに発生する電流７ａ、第二の導線５ｂに発生する電流７ｂ、第三の導線５ｃに発生する電流７ｃおよび第四の導線５ｄに発生する電流７ｄが互いに打ち消し合うことなく同じ方向に流れるように、第一の導線５ａ、第二の導線５ｂ、第三の導線５ｃおよび第四の導線５ｄを直列に接続する配線である。
本実施の形態では、このような配線８１を設けたことによって、電力線にＰＬＣ信号を妨げる電力設備が配置されていても、電力設備をバイパスしてＰＬＣ信号を流すことができる。【００３６】
ＰＬＣ信号のバイパス動作について、図９に基づいて具体的に説明する。
本実施の形態では、第二のトロイダル形のフェライトコア２ｂの中空部を貫通する第二の電力線１ｂを流れる第二のＰＬＣ信号４ｂにより発生する磁界６ｂによって第二の導線５ｂを流れる電流７ｂが、第一のトロイダル形のフェライトコア２ａに巻回されている第一の導線５ａに電流７ａとして流れ、この電流７ａによって第一のフェライトコア２ａに磁界６ａが発生する。
この発生した磁界６ａにより、第一のフェライトコア２ａの中空部を貫通する第一の電力線１ａに第一のＰＬＣ信号４ａが発生する。
つまり、第一の電力設備６０ａをバイパスして第二の電力線１ｂを流れる第二のＰＬＣ信号４ｂと同等の第一のＰＬＣ信号４ａを、第一の電力線１ａに発生させる。
同様に、第三のトロイダル形のフェライトコア２ｃの中空部を貫通する第三の電力線１ｃを流れる第三のＰＬＣ信号４ｃによって発生する第三の磁界６ｃによって第三の導線５ｃを流れる電流７ｃが、第４のトロイダル形のフェライトコア２ｄに巻回されている第４の導線５ｄに電流７ｄとして流れ、この電流７ｄによって第４のフェライトコア２ｄに第４の磁界６ｄが発生する。
この発生した第４の磁界６ｄにより第４のフェライトコア２ｄの中空部を貫通する第４の電力線１ｄに第４のＰＬＣ信号４ｄが発生する。
つまり、第二の電力設備６０ｂをバイパスして、第三の電力線１ｃを流れる第三のＰＬＣ信号４ｃと同等の第４のＰＬＣ信号４ｄを第４の電力線１ｄに発生させる。【００３７】
以上説明したように、本実施の形態による電力線搬送信号処理装置は、第一の電力線搬送信号４ａが流れる第一の電力線１ａが貫通するための中空部を有する開閉可能なトロイダル形の第一のフェライトコア２ａと、第一のフェライトコア２ａに巻回され、第一の電力線１ａに流れる第一の電力線搬送信号４ａが第一のフェライトコア２ａの中空部を通過するときに発生する磁界６ａにより電流７ａが発生する第一の導線５ａと、第二の電力線搬送信号４ｂが流れ、第一の電力設備６０ａを介して第一の電力線１ａに接続される第二の電力線１ｂが貫通するための中空部を有する開閉可能なトロイダル形の第二のフェライトコア２ｂと、第二のフェライトコア２ｂに巻回され、第二の電力線１ｂを流れる第二の電力線搬送信号４ｂが第二のフェライトコア２ｂの中空部を通過するときに発生する磁界６ｂにより電流７ｄが発生する第二の導線５ｂと、第三の電力線搬送信号４ｃが流れる第三の電力線１ｃが貫通するための中空部を有する開閉可能なトロイダル形の第三のフェライトコア２ｃと、第三のフェライトコア２ｃに巻回され、第三の電力線１ｃに流れる第三の電力線搬送信号４ｃが第三のフェライトコア２ｃの中空部を通過するときに発生する磁界６ｃにより電流７ｃが発生する第三の導線５ｃと、第四の電力線搬送信号４ｄが流れ、第二の電力設備６０ｂを介して第三の電力線１ｄに接続される第四の電力線１ｄが貫通するための中空部を有する開閉可能なトロイダル形の第四のフェライトコア２ｄと、第四のフェライトコア２ｄに巻回され、第四の電力線１ｄを流れる第四の電力線搬送信号４ｄが第四のフェライトコア２ｄの中空部を通過するときに発生する磁界６ｄにより電流７ｄが発生する第四の導線５ｄと、第一の導線５ａに発生する電流７ａ、第二の導線５ｂに発生する電流７ｂ、第三の導線５ｃに発生する電流７ｃおよび四の導線５ｄに発生する電流７ｄが互いに打ち消し合うことなく同じ方向に流れるように、第一の導線５ａ、第二の導線５ｂ、第三の導線５ｃおよび第四の導線５ｄを直列に接続する配線８１とを備えている。【００３８】
従って、本実施の形態による電力線搬送信号処理装置によれば、第一の電力線搬送信号４ａが流れる第一の電力線１ａが貫通するトロイダル形の第一のフェライトコア２ａ、第二の電力線搬送信号４ｂが流れ、第一の電力設備６０ａを介して第一の電力線１ａに接続される第二の電力線１ｂが貫通するトロイダル形の第二のフェライトコア２ｂ、第三の電力線搬送信号４ｃが流れる第三の電力線１ｃが貫通するトロイダル形の第三のフェライトコア２ｃ、および第四の電力線搬送信号４ａが流れ、第二の電力設備６０ｂを介して第三の電力線１ｂに接続される第四の電力線１ｄが貫通するトロイダル形の第四のフェライトコア２ｄは、いずれも開閉が可能であるので、第一〜第二の電力線に流れる電流を切断することなく、第一〜第四のフェライトコアをそれぞれ対応する電力線に容易に装着することができ、停電工事の必要もなく、且つ、工事時間も大幅に短縮できる。
更に、第一の導線に発生する電流、第二の導線に発生する電流、第三の導線に発生する電流および第四の導線に発生する電流が互いに打ち消し合うことなく同じ方向に流れるように配線されているので、電力線上に電力設備があっても、これをバイパスさせて電力線搬送信号を抑制されることなく、流すことができる。【００３９】
実施の形態７．
図１０は、この発明の実施の形態７による電力線搬送信号処理装置の構成を概念的に示す図である。
本実施の形態による電力線搬送信号処理装置は、図８に示した実施の形態５による電力線搬送信号処理装置の構成に対して、更に、第一のフェライトコア２ａに巻回され、第一の電力線搬送信号４ａと周波数帯域の異なる第三の電力線搬送信号４０ａが第一のフェライトコア２ａの中空部を通過するときに発生する磁界９０ａにより電流７ｅが発生する第五の導線５ｅと、第三のフェライトコア２ｃに巻回され、第二の電力線搬送信号４ｂと周波数帯域の異なる第四の電力線搬送信号４０ｂが第三のフェライトコア２ｃの中空部を通過するときに発生する磁界９０ｃにより電流７ｆが発生する第六の導線５ｆと、第三の電力線搬送信号４１ｃが流れる第三の電力線１ｃを貫通するための中空部を有するトロイダル形の第五のフェライトコア２ｇと、第五のフェライトコア２ｇに巻回され、第三の電力線１ｃに流れる第三の電力線搬送信号４１ｃが第五のフェライトコア２ｇの中空部を通過するときに発生する磁界６ｇにより電流７ｇが発生する第七の導線５ｇと、第四の電力線搬送信号４１ｄが流れる第四の電力線１ｄを貫通するための中空部を有するトロイダル形の第六のフェライトコア２ｈと、第六のフェライトコア２ｈに巻回され、第四の電力線１ｄに流れる第四の電力線搬送信号４１ｄが第六のフェライトコア２ｈの中空部を通過するときに発生する磁界６ｈにより電流７ｈが発生する第八の導線５ｈと、第五の導線５ｅに発生する電流７ｅ、第六の導線５ｆに流れる電流７ｆ、第七の導線５ｇに発生する電流７ｇおよび第八の導線５ｈに流れる電流７ｈが、互いに打ち消し合うことなく同じ方向に流れるように、第五の導線５ｅ、第六の導線５ｆ、第七の導線５ｇおよび第八の導線５ｈを直列に接続する配線８１を備えている。【００４０】
第一の電力線１ａおよび第二の電力線１ｂは、１００Ｖ／２００Ｖ／０Ｖの交流電圧を有する活線もしくは中性線である。
第一の電力線１ａ、第二の電力線１ｂには、ある周波数帯域の第一のＰＬＣ信号４ａ、第二のＰＬＣ信号４ｂ、およびＰＬＣ信号４ａ、第二のＰＬＣ信号４ｂとは異なる周波数帯域の第三のＰＬＣ信号４０ａ、第四のＰＬＣ信号４０ｂが流れている。
第一の電力線１ａに直接接合することなく装着した第一のフェライトコア２ａには、第五の導線５ｅが所定の巻数で巻回され、第二の電力線１ｂに直接接合することなく装着した第三のフェライトコア３ｃには、第六の導線５ｆが所定の巻数で巻回されている。
また、実施の形態５で説明したように、第一の導線５ａに発生する電流７ａ、第二の導線５ｂに発生する電流７ｂ、第三の導線５ｃに発生する電流７ｃ、第四の導線５ｄに発生する電流７ｄが互いに打ち消されるように、配線８０は、第一の導線５ａ、第二の導線５ｂ、第三の導線５ｃ、第四の導線５ｄを直列に接続している。更に、配線８０にはコイルとコンデンサからなるＬＣ並列共振回路１７が挿入されている。【００４１】
更に、本実施の形態では、ＰＬＣ信号が流れていない第三の電力線１ｃおよび第４の電力線１ｄがあり、第三の電力線１ｃには第五のフェライトコア２ｇが直接接合することなく装着され、第四の電力線１ｄには第六のフェライトコア２ｈが直接接合することなく装着されている。
第五のフェライトコア２ｇには所定の巻数で第七の動線５ｇが巻回され、第六のフェライトコア２ｈには所定の巻数で第八の動線５ｈが巻回されている。
また、第一のフェライトコア２ａには所定の巻数で第五の導線５ｅが巻回され、第三のフェライトコア２ｃには所定の巻数で第六の導線５ｆが巻回されている。
図示はしていないが、実施の形態１あるいは実施の形態２のなど場合と同様に、６つのトロイダル形のフェライトコア（即ち、第一のフェライトコア〜第六のフェライトコア）は、開閉が可能なように、例えば２分割されたコアで構成されており、２分割されたコアを開くことにより中空部に電力線を貫通させることができるようになっている。
そして、配線８１によって、第五の導線５ｅに発生する電流７ｅ、第六の導線５ｆに流れる電流７ｆ、第七の導線５ｇに発生する電流７ｇおよび第八の導線５ｈに流れる電流７ｈが、互いに打ち消し合うことなく同じ方向に流れるように、第五の導線５ｅ、第六の導線５ｆ、第七の導線５ｇおよび第八の導線５ｈを直列に接続されている。【００４２】
次に、動作について説明する。
図１１に示すように、第一の電力線１ａを流れる第一のＰＬＣ信号４ａおよび第二の電力線１ｂを流れる第二のＰＬＣ信号４ｂは、ある周波数帯域２０１を使用しており、第三のＰＬＣ信号４０ａおよび第四のＰＬＣ信号４０ｂは、第一のＰＬＣ信号４ａ、第二のＰＬＣ信号４ｂとは異なる周波数帯域２０２を使用している。
まず、図１０に示した第一のＰＬＣ信号４ａおよび第二のＰＬＣ信号４ｂをブロッキングする動作について説明する。
本実施の形態による電力搬送信号処理装置は、実施の形態５で説明したように、第一の電力線搬送信号４ａが流れる第一の電力線１ａが貫通するための中空部を有する開閉可能なトロイダル形の第一のフェライトコア２ａと、第一のフェライトコア２ａに巻回され、第一の電力線１ａに流れる第一の電力線搬送信号４ａが第一のフェライトコア２ａの中空部を通過するときに発生する磁界６ａにより電流が発生する第一の導線５ａと、第一の電力線搬送信号４ａが流れる第一の電力線１ａが貫通するための中空部を有する開閉可能なトロイダル形の第二のフェライトコア２ｂと、第二のフェライトコア２ｂに巻回され、第一の電力線１ａを流れる第一の電力線搬送信号４ａが第二のフェライトコア２ａの中空部を通過するときに発生する磁界６ｂにより電流が発生する第二の導線５ｂと、第二の電力線搬送信号４ｂが流れる第二の電力線１ｂが貫通するための中空部を有する開閉可能なトロイダル形の第三のフェライトコア２ｃを備えている。【００４３】
また、第三のフェライトコア２ｃに巻回され、第二の電力線１ｂに流れる第二の電力線搬送信号４ｂが第三のフェライトコア２ｃの中空部を通過するときに発生する磁界６ｃにより電流が発生する第三の導線５ｃと、第二の電力線搬送信号４ｂが流れる第二の電力線１ｂが貫通するための中空部を有する開閉可能なトロイダル形の第四のフェライトコア２ｄと、第四のフェライトコア２ｄに巻回され、第二の電力線１ｂを流れる第二の電力線搬送信号４ｂが第四のフェライトコア２ｄの中空部を通過するときに発生する磁界６ｄにより電流が発生する第四の導線５ｄとを備えている。
さらに、第一の導線５ａに発生する電流、第二の導線５ｂに発生する電流、第三の導線５ｃに発生する電流および第四の導線５ｄに発生電流が互いに打ち消されるように、第一の導線５ａ、第二の導線５ｂ、第三の導線５ｃおよび第四の導線５ｄを直列に接続する配線８０を備えている。
このように、配線８０によって、第一の導線５ａに発生する電流、第二の導線５ｂに発生する電流、第三の導線５ｃに発生する電流および第四の導線５ｄに発生する電流が互いに打ち消されるように配線しているので、第一の電力線１ａに流れる第一の電力搬送信号４ａおよび第二の電力線１ｂに流れる第二の電力線搬送信号４ｂを効率よくブロッキングできる。【００４４】
次に、本実施の形態による電力搬送信号処理装置におけるＰＬＣ信号のバイパス動作について説明する。
前述したように、第一の電力線１ａ、第二の電力線１ｂには、ある周波数帯域（図１１の周波数帯域２０１）の第一のＰＬＣ信号４ａ、第二のＰＬＣ信号４ｂとは異なる周波数帯域（図１１の周波数帯域２０２）の第三のＰＬＣ信号４０ａ、第四のＰＬＣ信号４０ｂが流れている。
第三のＰＬＣ信号４０ａおよび第四のＰＬＣ信号４０ｂが、第一のフェライトコア２ａおよび第三のフェライトコア２ｃを通過するとき、右ねじの法則により、第一のフェライトコア２ａおよび第三のフェライトコア２ｃに所定の巻数で巻回された第五の導線５ｅおよび第六の導線５ｆに電流７ｅおよび７ｆが生じる。
配線８１によって、第五の導線５ｅに発生する電流７ｅ、第六の導線５ｆに流れる電流７ｆ、第七の導線５ｇに発生する電流７ｇおよび第八の導線５ｈに流れる電流７ｈが、互いに打ち消し合うことなく同じ方向に流れるように接続されているので、電流７ｇにより第五のフェライトコア２ｇに磁界６ｇが誘起され、電流７ｈにより第六のフェライトコア２ｈに磁界６ｈが誘起される。
この誘起された磁界６ｇおよび磁界６ｈによって、第三の電力線１ｃおよび第四の電力線１ｄにＰＬＣ信号４１ｃおよびＰＬＣ信号４１ｄが発生する。
即ち、第一の電力線１ａに流れていた第三のＰＬＣ信号４０ａおよび第二の電力線１ｂに流れていた第四のＰＬＣ信号４０ｂを、第三の電力線１ｃを流れるＰＬＣ信号４１ｃおよび第四の電力線を流れるＰＬＣ信号４１ｄとして、バイパスすることが可能となる。【００４５】
以上説明したように、本実施の形態による電力線搬送信号処理装置は、前述の実施の形態５による電力線搬送信号処理装置に対して、更に、第一のフェライトコア２ａに巻回され、第一の電力線搬送信号４ａと周波数帯域の異なる第三の電力線搬送信号４０ａが第一のフェライトコア２ａの中空部を通過するときに発生する磁界９０ａにより電流７ｅが発生する第五の導線５ｅと、第三のフェライトコア２ｃに巻回され、第二の電力線搬送信号４ｂと周波数帯域の異なる第四の電力線搬送信号４０ｂが第三のフェライトコア２ｃの中空部を通過するときに発生する磁界９０ｃにより電流７ｆが発生する第六の導線５ｆと、第三の電力線搬送信号４１ｃが流れる第三の電力線１ｃを貫通するための中空部を有するトロイダル形の第五のフェライトコア２ｇと、第五のフェライトコア２ｇに巻回され、第三の電力線１ｃに流れる第三の電力線搬送信号４１ｃが第五のフェライトコア２ｇの中空部を通過するときに発生する磁界６ｇにより電流７ｇが発生する第七の導線５ｇと、第四の電力線搬送信号４１ｄが流れる第四の電力線１ｄを貫通するための中空部を有するトロイダル形の第六のフェライトコア２ｈと、第六のフェライトコア２ｈに巻回され、第四の電力線１ｄに流れる第四の電力線搬送信号４１ｄが第六のフェライトコア２ｈの中空部を通過するときに発生する磁界６ｈにより電流７ｈが発生する第八の導線５ｈと、第五の導線５ｅに発生する電流７ｅ、第六の導線５ｆに流れる電流７ｆ、第七の導線５ｇに発生する電流７ｇおよび第八の導線５ｈに流れる電流７ｈが、互いに打ち消し合うことなく同じ方向に流れるように、第五の導線５ｅ、第六の導線５ｆ、第七の導線５ｇおよび第八の導線５ｈを直列に接続する配線８１を備えている。
従って、ある特定周波数帯域の電力線搬送信号をブロッキングできると共に、同時に他の異なる周波数帯域の電力線搬送信号を別の電力線にバイパスさせることができる。【００４６】
上述した実施の形態１〜実施の形態７では、電力線に流れるＰＬＣ信号をブロッキングあるいはバイパスする電力線搬送信号処理装置について述べているが、この発明は電力線への適用だけに限定されるものではなく、電力線以外の電力線搬送モデムが使用されるケーブルにも適用することが可能である。
【産業上の利用可能性】
【００４７】
この発明は、停電工事の必要もなく、且つ、工事時間も大幅に短縮して、電力線もしくはケーブルに流れるＰＬＣ信号をブロッキングあるいはバイバスすることができる電力線搬送信号処理装置の実現に有用である。
【図面の簡単な説明】
【００４８】
【図１】この発明の実施の形態1による電力線搬送信号処理装置の構成を概念的に示す図である。
【図２】この発明の実施の形態２による電力線搬送信号処理装置の構成を概念的に示す図である。
【図３】この発明の実施の形態３による電力線搬送信号処理装置の構成例を概念的に示す図である。
【図４】この発明の実施の形態３による電力線搬送信号処理装置の他の構成を概念的に示す図である。
【図５】実施の形態３よる効果を説明するための図である。
【図６】この発明の実施の形態４による電力線搬送信号処理装置の構成例を概念的に示す図である。
【図７】この発明の実施の形態４による電力線搬送信号処理装置の他の構成例を概念的に示す図である。
【図８】この発明の実施の形態５による電力線搬送信号処理装置の構成例を概念的に示す図である。
【図９】この発明の実施の形態６による電力線搬送信号処理装置の構成を概念的に示す図である。
【図１０】この発明の実施の形態７による電力線搬送信号処理装置の構成を概念的に示す図である。
【図１１】実施の形態７による電力線搬送信号処理装置において、異なる二つの周波数帯域のＰＬＣ信号を説明するための図である。４
【符号の説明】
【００４９】
１、１ａ、１ｂ、１ｃ、１ｄ  電力線
２、２ａ、２ｂ、２ｃ、２ｄ、２ｇ、２ｈ  フェライトコア
３、３ａ、３ｂ  交流電力
４、４ａ、４ｂ、４０ａ、４０ｂ、４１ｃ、４１ｄ  ＰＬＣ信号
５ａ、５ｂ、５ｃ、５ｄ、５ｇ、５ｈ  導線
６、６ａ、６ｂ、６ｃ、６ｄ、６ｇ、６ｈ  磁界
９、９ａ、９ｂ、９ｃ、９ｄ、  抑圧された磁界
１０、１０ａ、１０ｂ  抑制されたＰＬＣ信号
１１  コンデンサ
１７  ＬＣ並列共振回路
６０ａ、６０ｂ  電力設備
８、８０、８１  配線
【図１】
0004566242.tif 000002
【図２】
0004566242.tif 000003
【図３】
0004566242.tif 000004
【図４】
0004566242.tif 000005
【図５】
0004566242.tif 000006
【図６】
0004566242.tif 000007
【図７】
0004566242.tif 000008
【図８】
0004566242.tif 000009
【図９】
0004566242.tif 000010
【図１０】
0004566242.tif 000011
【図１１】
0004566242.tif 000012